(57)【要約】【課題】画像形成装置独自の機能の使用を可能とする。【解決手段】画像形成装置２０の制御部２１は、端末装置１０から印刷ジョブを受信すると、追加の印刷設定を指定する印刷設定情報の指定要求を端末装置１０に対して送信し、印刷設定情報の指定要求に応じて端末装置１０から印刷設定情報を受信すると、印刷ジョブに印刷設定情報を適用して実行する。【選択図】図３
2017165002.tif 000002
【特許請求の範囲】
【請求項１】
ネットワークを介して端末装置と接続された画像形成装置において、
前記端末装置から印刷ジョブを受信すると、追加の印刷設定を指定する印刷設定情報の指定要求を前記端末装置に対して送信する指定要求送信部と、
前記印刷設定情報の指定要求に応じて前記端末装置から前記印刷設定情報を受信すると、前記印刷ジョブに前記印刷設定情報を適用して実行するジョブ実行部と、
を備えることを特徴とする画像形成装置。
【請求項２】
前記指定要求送信部は、前記端末装置から前記印刷ジョブを受信すると、当該印刷ジョブの送信元を識別し、識別した送信元が予め定められた条件を満たす場合に、前記印刷設定情報の指定要求を送信元の前記端末装置に送信することを特徴とする請求項１に記載の画像形成装置。
【請求項３】
前記ジョブ実行部は、前記印刷設定情報の指定要求に応じて前記端末装置から待機通知を受信すると、前記印刷ジョブの実行を保留し、前記端末装置から前記印刷設定情報が送信されてくるまで待機することを特徴とする請求項１又は２に記載の画像形成装置。
【請求項４】
前記ジョブ実行部は、前記印刷ジョブの実行を保留している間、前記印刷ジョブの受信以降に受信した他のジョブを実行することを特徴とする請求項３に記載の画像形成装置。
【請求項５】
前記ジョブ実行部は、前記印刷設定情報の指定要求に応じて前記端末装置から前記印刷設定情報を送信しないことを示すキャンセル通知を受信すると、前記印刷ジョブを実行することを特徴とする請求項１又は２に記載の画像形成装置。
【請求項６】
ファックス送信部を備え、
前記印刷設定情報は、前記印刷ジョブがファックスジョブであることを示すファックスジョブ情報と、ファックス送信先情報とを含み、
前記ジョブ実行部は、前記端末装置から受信した前記印刷設定情報に前記ファックスジョブ情報が含まれる場合、前記ファックス送信先情報に基づきファックスを送信することを特徴とする請求項１〜５の何れか一項に記載の画像形成装置。
【請求項７】
請求項１〜６の何れか一項に記載の画像形成装置と、ネットワークを介して前記画像形成装置と接続された端末装置と、を備えた画像形成システムにおいて、
前記端末装置は、
前記画像形成装置に前記印刷ジョブを送信する印刷ジョブ送信部と、
前記画像形成装置から前記印刷設定情報の指定要求を受信すると起動する印刷設定アプリケーションを実行するアプリ実行部と、
ユーザーが前記印刷設定アプリケーションを用いて指定した前記印刷設定情報を前記画像形成装置に送信する印刷設定情報送信部と、
を備えることを特徴とする画像形成システム。
【請求項８】
ユーザーが前記印刷設定アプリケーションを用いて入力操作を開始すると、前記印刷ジョブの実行を保留させる待機通知を前記画像形成装置に送信する待機通知送信部を備えることを特徴とする請求項７に記載の画像形成システム。
【請求項９】
前記画像形成装置から前記印刷設定情報の指定要求を受信すると、ユーザーの指示操作に応じて、前記印刷設定情報を送信しないことを示すキャンセル通知を前記画像形成装置に送信するキャンセル通知送信部を備えることを特徴とする請求項７に記載の画像形成システム。
【請求項１０】
前記端末装置は、所定フォーマットのファイルに前記印刷設定情報を付加した印刷ジョブを前記画像形成装置に送信するダイレクトアプリケーションを備え、
前記印刷設定アプリケーションは、前記ダイレクトアプリケーションの一機能であることを特徴とする請求項７〜９の何れか一項に記載の画像形成システム。
【請求項１１】
前記印刷設定アプリケーションは、ユーザーからの入力を受け付けるウェブページを表示させるウェブブラウザであり、前記画像形成装置が管理するウェブサーバーが、前記印刷設定情報を入力するためのデータを前記ウェブブラウザに提供することを特徴とする７〜９の何れか一項に記載の画像形成システム。
【発明の詳細な説明】
【技術分野】
【０００１】
本発明は、画像形成装置及び画像形成システムに関する。
【背景技術】
【０００２】
近年、スマートフォンやタブレットＰＣ（Personal Computer）などの端末装置を用いて、画像形成装置に画像形成処理（印刷）を実行させることが行われている（例えば、特許文献１、２参照）。
端末装置のＯＳ（Ｏｐｅｒａｔｉｎｇ Ｓｙｓｔｅｍ）が予め提供する印刷アーキテクチャや印刷アーキテクチャ上で動作するプラグインが様々なメーカーの画像形成装置に対応していること、また、端末装置にインストールされた様々なアプリケーションソフトウェアが、当該端末装置のＯＳが提供する印刷アーキテクチャに対応していることにより、ユーザーは様々なアプリケーションソフトウェアを用いて、様々なメーカーの画像形成装置にて印刷を行うことが可能となっている。
【先行技術文献】
【特許文献】
【０００３】
【特許文献１】特開２０１３−２２７６６号公報
【特許文献２】特開２０１４−４８７４６号公報
【発明の概要】
【発明が解決しようとする課題】
【０００４】
しかしながら、このような端末装置により印刷指示を行う場合、各メーカーの画像形成装置に共通する一般的な印刷設定は可能であるが、各画像形成装置に搭載された独自機能に対する設定はできない場合が多い。即ち、端末装置のＯＳが提供する印刷アーキテクチャや印刷アーキテクチャ上で動作するプラグインは、様々なメーカーの画像形成装置に対応させるため、これらに共通する一般的な印刷設定機能しか備えておらず、各画像形成装置の独自機能には対応していない。
また、画像形成装置のメーカーによって開発されたアプリケーションで、そのメーカーの画像形成装置に対応させているものもあるが、こうしたアプリケーションは、入力できるファイルの形式がＰＤＦなどの一般に広く使われている形式に限られ、やはり画像形成装置の独自機能を十分に活かせる仕様となっていない。
【０００５】
本発明はこのような課題に鑑みてなされたものであって、画像形成装置独自の機能の使用を可能とする画像形成装置及び画像形成システムを提供することである。
【課題を解決するための手段】
【０００６】
上記課題を解決するため、
本発明の一の態様によれば、
ネットワークを介して端末装置と接続された画像形成装置において、
前記端末装置から印刷ジョブを受信すると、追加の印刷設定を指定する印刷設定情報の指定要求を前記端末装置に対して送信する指定要求送信部と、
前記印刷設定情報の指定要求に応じて前記端末装置から前記印刷設定情報を受信すると、前記印刷ジョブに前記印刷設定情報を適用して実行するジョブ実行部と、
を備えることを特徴とする。
【０００７】
また、本発明の他の態様によれば、
上記画像形成装置と、ネットワークを介して前記画像形成装置と接続された端末装置と、を備えた画像形成システムにおいて、
前記端末装置は、
前記画像形成装置に前記印刷ジョブを送信する印刷ジョブ送信部と、
前記画像形成装置から前記印刷設定情報の指定要求を受信すると起動する印刷設定アプリケーションを実行するアプリ実行部と、
ユーザーが前記印刷設定アプリケーションを用いて指定した前記印刷設定情報を前記画像形成装置に送信する印刷設定情報送信部と、
を備えることを特徴とする。
【発明の効果】
【０００８】
本発明によれば、画像形成装置の独自の機能の使用が可能となる。
【図面の簡単な説明】
【０００９】
【図１】本実施の形態の画像形成システムの全体構成を示す図である。
【図２】端末装置の構成を示す機能ブロック図である。
【図３】画像形成装置の構成を示す機能ブロック図である。
【図４】端末装置の処理を示すフローチャートである。
【図５】画像形成装置の処理を示すフローチャートである。
【図６】変形例の端末装置の処理を示すフローチャートである。
【図７】変形例の画像形成装置の処理を示すフローチャートである。
【図８】他の態様の端末装置の構成を示す機能ブロック図である。
【図９】他の態様の画像形成システムの構成を示す図である。
【発明を実施するための形態】
【００１０】
以下、本発明の実施の形態について図面を参照して説明する。但し、発明の範囲は、図示例に限定されない。
【００１１】
先ず、本実施の形態に係る画像形成システム１の構成について説明する。
図１は、画像形成システム１の全体構成を示す図である。
図１に示すように、画像形成システム１は、端末装置１０と、画像形成装置２０と、を備えて構成されている。これらの装置は、通信ネットワークＮに接続され、相互に通信を行う。通信ネットワークＮは、具体的には、インターネットや電気通信事業者等の電話回線網や携帯電話通信網等である。
【００１２】
端末装置１０は、例えば、スマートフォンやタブレットなどのスマートデバイス、携帯電話機等の各ユーザーが所持して使用する携帯型端末機器である。端末装置１０には、画像形成装置２０に対して印刷ジョブを送信する印刷アプリケーション（以下、印刷アプリと称する）や、印刷ジョブの詳細を追加で設定する印刷設定アプリケーション（以下、印刷設定アプリと称する）がインストールされている。
【００１３】
画像形成装置２０は、例えば、コピー機能、プリンタ機能、スキャン機能、ファクシミリ等の機能を有する多機能デジタル画像形成装置であるＭＦＰ（Multi Function Peripherals）等である。画像形成装置２０は、端末装置１０から印刷ジョブが送信されてくると、送信元の端末装置１０に印刷設定指定要求を送信し、これに応じて端末装置１０から送信されてきた印刷設定情報を印刷ジョブに適用して画像形成処理を実行する。
【００１４】
なお、図１においては、端末装置１０及び画像形成装置２０は何れも１台で構成されているが、何れの装置も複数台の装置から構成されるものとしてもよい。
【００１５】
次に、端末装置１０の構成について説明する。
図２は、端末装置１０の構成を示す機能ブロック図である。
図２に示すように、端末装置１０は、印刷ジョブ送信部、アプリ実行部、待機通知送信部、及び印刷設定情報送信部としての制御部１１と、操作部１２と、表示部１３と、記憶部１４と、通信部１５と、を備えて構成されている。
【００１６】
制御部１１は、端末装置１０の動作を中央制御する。具体的には、制御部１１は、ＣＰＵ（Central Processing Unit）、ＲＯＭ（Read Only Memory）、ＲＡＭ（Random Access Memory）などを備えて構成され、ＲＡＭの作業領域に展開されたＲＯＭや記憶部１４に記憶されたプログラムデータとＣＰＵとの協働により、端末装置１０の各部を統括制御する。
【００１７】
操作部１２は、例えば、ホームボタン等からなるキー入力部と、表示部１３と一体的に形成されたタッチパネルと、を備え、ユーザーからの操作入力を受け付けて、操作入力に応じた操作信号を制御部１１へと出力する。
【００１８】
表示部１３は、例えば、ＬＣＤ（Liquid Crystal Display）、有機ＥＬ（Electro Luminescence）素子を用いたＦＰＤ（Flat Panel Display）などのディスプレイを備え、制御部１１から出力された表示制御信号に基づいた各種表示情報を表示画面に表示する。また、表示部１３には、一体的にタッチパネルが設けられている。
【００１９】
記憶部１４は、例えば、ＨＤＤ（Hard Disk Drive）、半導体メモリーなどにより構成され、プログラムデータや各種設定データ等のデータを制御部１１から読み書き可能に記憶する。
具体的に、記憶部１４には、画像形成装置２０に対して印刷ジョブを送信する印刷アプリ１４１や、印刷ジョブの詳細を追加で設定する印刷設定アプリ１４２が記憶されている。
【００２０】
通信部１５は、アンテナや通信回路を備え、制御部１１の指示に従い、通信ネットワークＮを介してデータ通信を行う。
【００２１】
次に、画像形成装置２０の構成について説明する。
図３は、画像形成装置２０の構成を示す機能ブロック図である。
図３に示すように、画像形成装置２０は、例えば、指定要求送信部及びジョブ実行部としての制御部２１と、操作部２２と、表示部２３と、画像形成部２４と、定着部２５と、給紙部２６と、排紙部２７、ファックス送信部としてのＦＡＸ部２８と、用紙処理部２９と、通信部３０と、記憶部３１と、を備えて構成されている。
【００２２】
制御部２１は、画像形成装置２０の動作を中央制御する。具体的には、制御部２１は、ＣＰＵ、ＲＯＭ、ＲＡＭなどを備えて構成され、ＲＡＭの作業領域に展開されたＲＯＭや記憶部３１に記憶されたプログラムデータとＣＰＵとの協働により、画像形成装置２０の各部を統括制御する。
【００２３】
操作部２２は、数字ボタン、各種機能ボタン、印刷開始用のスタートボタン等のハードウェアキーを有するボタン部と、表示部２３と一体的に形成されたタッチパネルと、を備え、ユーザーからの操作入力を受け付けて、操作入力に応じた操作信号を制御部２１へと出力する。
【００２４】
表示部２３は、ＬＣＤ等で構成され、制御部２１から出力された表示制御信号に基づいた各種表示情報を表示する。また、表示部２３には、一体的にタッチパネルが設けられている。
【００２５】
画像形成部２４は、制御部２１の指示に従い、例えば、通信部３０を介して端末装置１０から受信された印刷ジョブに基づいて、用紙に電子写真方式の画像形成を行う。
具体的に、画像形成部２４は、イエロー（Ｙ）、マゼンタ（Ｍ）、シアン（Ｃ）、ブラック（Ｋ）の各色に対応する感光体ドラム、中間転写ベルト、２次転写ローラー等を備える。各感光体ドラムは、一様に帯電された後、各色の画像データに基づいてレーザービームにより走査露光され、静電潜像が形成される。そして、感光体ドラムの静電潜像に各色のトナーが付着され、現像が行われる。各感光体ドラム上に形成された各色のトナー像は、回転する中間転写ベルト上に逐次転写され（１次転写）、中間転写ベルト上に４色のトナー像が重ね合わされたカラートナー像が形成される。中間転写ベルト上のカラートナー像は、２次転写ローラーにより、用紙上に一括して転写される（２次転写）。なお、画像形成部２４は、用紙にモノクロの画像形成を行う構成としてもよい。
【００２６】
定着部２５は、制御部２１の指示に従い、画像形成部２４によりトナー像が形成された用紙を加熱及び加圧して用紙にトナー像を定着する。
【００２７】
給紙部２６は、給紙トレイを有し、制御部２１の指示に従い、給紙トレイに格納された用紙を取り出して画像形成部２４に供給する。
【００２８】
排紙部２７は、排紙トレイを有し、制御部２１の指示に従い、画像形成された用紙を画像形成装置２０の外部に排出する。
【００２９】
ＦＡＸ部２８は、制御部２１の指示に従い、所定の宛先に対してＦＡＸを送信する。
【００３０】
用紙処理部２９は、例えば、用紙に対して穿孔するパンチ処理部や、用紙に対して打針するステープル部などを備え、画像形成された用紙に対して各処理を実行する。
【００３１】
通信部３０は、アンテナや通信回路を備え、制御部２１の指示に従い、通信ネットワークＮを介してデータ通信を行う。
【００３２】
記憶部３１は、例えば、ＨＤＤ（Hard Disk Drive）、フラッシュメモリー等により構成され、各種画像処理に係る画像データ等の各種データを記憶する。
【００３３】
画像形成装置２０は、この他にも、例えば、ＡＤＦ（Auto Document Feeder）や、原稿読取部等を備える構成であっても良い。
【００３４】
次に、本実施の形態に係る画像形成システム１の動作について説明する。
画像形成システム１では、ユーザーが端末装置１０から画像形成装置２０に印刷ジョブを送信すると、画像形成装置２０は送信元の端末装置１０に印刷設定指定要求を送信する。
これに応じてユーザーが端末装置１０から印刷設定情報を送信すると、画像形成装置２０は送信されてきた印刷設定情報を印刷ジョブに適用して画像形成を実行する。
【００３５】
以下、図４及び図５を参照しつつ、端末装置１０及び画像形成装置２０のそれぞれで実行される処理について説明する。
【００３６】
図４は、端末装置１０の処理を示すフローチャートである。
【００３７】
先ず、制御部１１は、ユーザーの操作部１２に対する操作により、印刷アプリが起動され、当該印刷アプリから画像形成の指示（印刷指示）がなされたか否かを判断し（ステップＳ１０１）、印刷指示がなされない場合（ステップＳ１０１：ＮＯ）、かかるステップＳ１０１の処理を繰り返す。
なお、通信ネットワークＮ上に複数の画像形成装置２０が接続されている場合には、画像形成装置２０を選択した上で印刷指示が行われる。
【００３８】
そして、印刷指示がなされた場合（ステップＳ１０１：ＹＥＳ）、制御部１１は、印刷アプリが生成したデータを画像形成装置２０が解釈できる形式に変換して印刷ジョブを生成し（ステップＳ１０２）、通信部１５により、生成した印刷ジョブを画像形成装置２０に送信する（ステップＳ１０３）。
このときに送信される印刷ジョブには、画像形成を実行するために必要となる基本的な設定事項が含まれる。
基本的な設定事項には、具体的には、例えば、印刷部数、色（カラー、モノクロ等）、用紙サイズ（Ａ４等）、用紙方向（縦、横）、印刷種類（片面、両面）、ページ指定（１頁のみ印刷、全頁印刷等）などの項目が含まれる。
【００３９】
次いで、制御部１１は、通信部１５により、画像形成装置２０から、端末装置１０の印刷設定アプリに対する印刷設定指定要求を受信したか否かを判断する（ステップＳ１０４）。
【００４０】
そして、印刷ジョブを送信してから所定時間（例えば、３０秒程度）内に印刷設定指定要求を受信しない場合（ステップＳ１０４：ＮＯ）、制御部１１は、本処理を終了する。
【００４１】
一方、印刷設定指定要求を受信した場合（ステップＳ１０４：ＹＥＳ）、制御部１１は、表示部１３の画面上に、印刷設定指定要求を受信したことを示す通知を表示する（ステップＳ１０５）。
これにより、表示部１３の画面上には、通知として、例えば「追加の印刷設定を行いますか？」などのメッセージが、ポップアップ表示される。
【００４２】
次いで、制御部１１は、ユーザーにより通知が操作されたか否かを判断する（ステップＳ１０６）。
【００４３】
そして、予め定められた所定時間（例えば、３０秒程度）内にユーザーにより通知が操作されない場合（ステップＳ１０６：ＮＯ）、制御部１１は、本処理を終了する。
【００４４】
一方、ユーザーにより通知が操作された場合（ステップＳ１０６：ＹＥＳ）、制御部１１は、印刷設定アプリを起動する（ステップＳ１０７）。
これにより、表示部１３の画面上で、ユーザーが追加の印刷設定を入力できるようになる。
【００４５】
次いで、制御部１１は、ユーザーの操作部１２に対する操作が開始されると（ユーザーが印刷設定アプリケーションを用いて入力操作を開始すると）、通信部１５により、印刷設定アプリ起動通知（待機通知）を画像形成装置２０に送信する（ステップＳ１０８）。
これにより、画像形成装置２０を待機状態とすることができる。即ち、印刷設定アプリ起動通知を受信した画像形成装置２０は、印刷設定アプリによって指定される印刷設定情報が送信されてくるまで待機した状態となる。
【００４６】
次いで、ユーザーの操作部１２に対する操作により印刷設定の入力がなされると、制御部１１は、これを受け付ける（ステップＳ１０９）。
ここで、印刷設定とは、画像形成装置２０の機能を使用する印刷ジョブの詳細な設定事項を指定するものである。
詳細な設定事項とは、具体的には、例えば、用紙種類（写真紙、塗工紙等）、ページ割付（２ｉｎ１等）、パンチ処理の有無、パンチ処理を行う場合の詳細（穴数、穿孔位置等）、ステープル処理の有無、ステープル処理を行う場合の詳細（打針数、打針位置等）、給紙トレイ、排紙トレイの設定、表紙つけの有無、ＦＡＸの設定（印刷ジョブがファックスジョブであることを示すファックスジョブ情報）、ＦＡＸの設定をした場合の宛先の電話番号（ファックス送信先情報）、などの項目が含まれる。
【００４７】
次いで、制御部１１は、ユーザーの操作部１２に対する操作により、印刷設定の決定がなされたか否かを判断し（ステップＳ１１０）、印刷設定の決定がなされない場合（Ｓ１１０：ＮＯ）、上記ステップＳ１０９に戻って以降の処理を繰り返す。
一方、印刷設定の決定がなされた場合（ステップＳ１１０：ＹＥＳ）、制御部１１は、入力された印刷設定を印刷設定情報として、通信部１５により、画像形成装置２０に送信し（ステップＳ１１１）、本処理を終了する。
【００４８】
図５は、画像形成装置２０の処理を示すフローチャートである。
【００４９】
先ず、制御部２１は、通信部３０により、端末装置１０から送信されてきた印刷ジョブを受信したか否か判断し（ステップＳ２０１）、印刷ジョブを受信しない場合（ステップＳ２０１：ＮＯ）、かかるステップＳ２０１の処理を繰り返す。
【００５０】
そして、印刷ジョブを受信した場合（ステップＳ２０１：ＹＥＳ）、制御部２１は、印刷ジョブを解析し、印刷ジョブの送信元を識別する（ステップＳ２０２）。
【００５１】
次いで、制御部２１は、上記ステップＳ２０２の解析結果に基づいて、印刷ジョブの送信元が予め定められた条件を満たすか否か判断する（ステップＳ２０３）。
具体的には、印刷ジョブの形式が規定された仕様に沿っているか否かにより、予め定められた端末装置１０のＯＳの印刷アーキテクチャで生成されたものであるか否か判断し、予め定められた端末装置１０のＯＳの印刷アーキテクチャで生成されていた場合、条件を満たす（印刷ジョブの送信元が予め定められた端末装置１０である）との判断がなされる。
【００５２】
そして、印刷ジョブの送信元が予め定められた条件を満たさないと判断した場合には（ステップＳ２０３：ＮＯ）、制御部２１は、後述のステップＳ２１０に移行する。
【００５３】
一方、印刷ジョブの送信元が予め定められた条件を満たすと判断した場合には（ステップＳ２０３：ＹＥＳ）、制御部２１は、端末装置１０に対して印刷設定指定要求を送信する（ステップＳ２０４）。
【００５４】
次いで、制御部２１は、予め定められた所定時間（例えば、３０秒程度）内に、端末装置１０から印刷設定アプリ起動通知（待機通知）を受信したか否かを判断し（ステップＳ２０５）、受信しない場合（ステップＳ２０５：ＮＯ）、後述のステップＳ２１０に移行する。
【００５５】
一方、端末装置１０から印刷設定アプリ起動通知を受信した場合（ステップＳ２０５：ＹＥＳ）、制御部２１は、印刷ジョブの実行を保留する待機状態となって、印刷設定情報を受信したか否かを判断する（ステップＳ２０６）。
【００５６】
そして、印刷設定情報を受信しない場合（ステップＳ２０６：ＮＯ）、かかるステップＳ２０６を繰り返す。
なお、この待機状態においては、上記ステップＳ２０１の印刷ジョブの受信以降に他のジョブを受信していた場合、制御部２１は、当該他のジョブを先に実行する。
【００５７】
一方、印刷設定情報を受信した場合（ステップＳ２０６：ＹＥＳ）、制御部２１は、印刷設定情報にＦＡＸの設定が含まれるか否かを判断する（ステップＳ２０７）。
【００５８】
そして、ＦＡＸの設定が含まれない場合（ステップＳ２０７：ＮＯ）、制御部２１は、先に受け取っていた印刷ジョブに対し、受信した印刷設定情報を適用してジョブを実行し（ステップＳ２０８）、本処理を終了する。
これにより、印刷設定情報に含まれる詳細な設定事項に基づいて、画像形成装置２０の機能を使用したジョブが実行されることとなる。
例えば、印刷設定情報に、用紙種類（塗工紙）が含まれた場合、塗工紙に画像形成される。また、印刷設定情報に、パンチ処理有で、その詳細（穴数）が含まれた場合、画像形成された用紙に所定数の穿孔処理が行われる。
【００５９】
一方、ＦＡＸの設定が含まれる場合（ステップＳ２０７：ＹＥＳ）、制御部２１は、ＦＡＸ部２８により、印刷設定情報に含まれる宛先に対してＦＡＸを送信して（ステップＳ２０９）、本処理を終了する。
【００６０】
また、上記ステップＳ２０３において、印刷ジョブの送信元が予め定められた条件を満たさないと判断した場合（ステップＳ２０３：ＮＯ）、及び上記ステップＳ２０５において、所定時間内に端末装置１０から印刷設定アプリ起動通知を受信しない場合（ステップＳ２０５：ＮＯ）、制御部２１は、その印刷ジョブに最初から含まれる設定事項に基づいてジョブを実行し（ステップＳ２１０）、本処理を終了する。
例えば、印刷ジョブがＰＣにて生成されたものであった場合、もともと詳細な設定事項が含まれることが多いので、それに従ったジョブが実行される。
また、印刷ジョブが端末装置１０で生成されたものであった場合、詳細な印刷設定が送信されてこないが、その印刷ジョブに含まれる設定事項（基本的な設定事項）を用いて処理が実行される。
【００６１】
以上のように、本実施の形態によれば、端末装置１０の制御部１１は、画像形成装置２０に印刷ジョブを送信し、画像形成装置２０から印刷設定情報の指定要求を受信すると印刷設定アプリケーションを起動し、ユーザーが印刷設定アプリケーションを用いて指定した印刷設定情報を画像形成装置２０に送信する。
また、画像形成装置２０の制御部２１は、端末装置１０から印刷ジョブを受信すると、追加の印刷設定を指定する印刷設定情報の指定要求を端末装置１０に対して送信し、印刷設定情報の指定要求に応じて端末装置１０から印刷設定情報を受信すると、印刷ジョブに印刷設定情報を適用して実行する。
このため、画像形成装置２０においては、指定できる印刷設定が限られた端末装置１０からの指示であっても、一度印刷ジョブを受信した後に追加で印刷設定情報を受信できるため、画像形成装置２０独自の機能を使用した印刷を行うことが可能となる。
【００６２】
また、本実施の形態によれば、制御部２１は、端末装置１０から印刷ジョブを受信すると、当該印刷ジョブの送信元を識別し、識別した送信元が予め定められた条件を満たす場合に、印刷設定情報の指定要求を送信元の端末装置１０に送信する。
このため、送信元が予め定められた条件を満たす場合に印刷設定情報の指定要求を送信するので、必要な端末装置１０にのみ印刷設定情報の指定要求を送信することができる。
【００６３】
また、本実施の形態によれば、制御部１１は、ユーザーが印刷設定アプリケーションを用いて入力操作を開始すると、待機通知を画像形成装置２０に送信する。
そして、制御部２１は、端末装置１０から待機通知を受信すると、印刷ジョブの実行を保留し、端末装置１０から印刷設定情報が送信されてくるまで待機する。
このため、画像形成装置２０においては、待機通知を受信しない場合には印刷ジョブの実行を保留しないため、徒に印刷ジョブの実行が遅れるのが防止される。
【００６４】
また、本実施の形態によれば、制御部２１は、印刷ジョブの実行を保留している間、印刷ジョブの受信以降に受信した他のジョブを実行する。
このため、複数のジョブを効率よく実行することができる。
【００６５】
また、本実施の形態によれば、ファックス送信機能を備え、印刷設定情報は、印刷ジョブがファックスジョブであることを示すファックスジョブ情報と、ファックス送信先情報とを含むことが可能であって、制御部２１は、端末装置１０から受信した印刷設定情報にファックスジョブ情報が含まれる場合、ファックス送信先情報に基づきファックスを送信する。
このため、端末装置１０の指示により、画像形成装置２０にファックスを送信させることができる。
【００６６】
次に、図６及び図７を用いて、上記実施の形態の変形例について説明する。
図６は、変形例における端末装置１０の処理を示すフローチャートである。図７は、変形例における画像形成装置２０の処理を示すフローチャートである。また、図６及び図７においては、図４及び図５と同一の処理については同一の符号を付している。
【００６７】
図６に示す端末装置１０の処理は、ステップＳ１０１〜ステップＳ１０４までは図４の処理と同一である。
端末装置１０の制御部１１は、ステップＳ１０４において印刷設定指定要求を受信すると（ステップＳ１０４：ＹＥＳ）、表示部１３の画面上に、追加の印刷設定を行う又は行わないことを選択する選択ボタンを表示する（ステップＳ１０５−１）。
そして、ユーザーにより、追加の印刷設定を行うことを指示する実行ボタンが選択された場合（ステップＳ１０６−１：ＹＥＳ）、制御部１１は、印刷設定アプリを起動し（ステップＳ１０７）、その後、図４のステップＳ１０８の印刷設定アプリ起動通知の送信を行うことなく、ユーザーによる印刷設定情報の入力の受け付け（ステップＳ１０９）に移行する。
一方、ユーザーにより、追加の印刷設定を行わないことを指示するキャンセルボタンが選択された場合（ステップＳ１０６−１：ＮＯ）、キャンセル通知送信部としての制御部１１は、印刷設定情報を送信しないことを示すキャンセル通知を画像形成装置２０に送信し（ステップＳ１１２）、本処理を終了する。
【００６８】
図７に示す画像形成装置２０の処理は、ステップＳ２０１〜ステップＳ２０４までは図５の処理と同一である。
画像形成装置２０の制御部２１は、ステップＳ２０４において端末装置１０に対して印刷設定指定要求を送信した後、予め定められた所定時間（例えば、３０秒程度）内に、端末装置１０からキャンセル通知を受信したか否かを判断する（ステップＳ２０５−１）。
そして、キャンセル通知を受信しない場合（ステップＳ２０５−１：ＮＯ）、印刷設定情報を受信したか否かの判断（ステップＳ２０６）に移行し、キャンセル通知を受信した場合（ステップＳ２０５−１：ＹＥＳ）、ジョブの実行（ステップＳ２１０）に移行する。
【００６９】
このように、本変形例においては、制御部１１は、画像形成装置２０から印刷設定情報の指定要求を受信すると、ユーザーの指示操作に応じて、印刷設定情報を送信しないことを示すキャンセル通知を画像形成装置２０に送信する。
また、制御部２１は、端末装置１０から印刷設定情報を送信しないことを示すキャンセル通知を受信すると、印刷ジョブを実行する。
かかる構成によれば、画像形成装置２０は、キャンセル通知を受信した場合には印刷ジョブを実行するため、徒に印刷ジョブの実行が遅れるのが防止される。
【００７０】
なお、図６のステップＳ１０５−１における選択ボタンの表示を行わず、印刷設定指定要求を受信した場合（ステップＳ１０４：ＹＥＳ）、直ちに印刷設定アプリを起動させる（ステップＳ１０７）こととしても良い。この場合、印刷設定アプリの起動画面上にキャンセルボタンを表示させ、ユーザーによりキャンセルボタンが操作されたら、キャンセル通知を送信することとしても良い。或いは、印刷設定アプリの起動画面上に実行ボタンを表示させ、ユーザーにより実行ボタンが操作されたら、印刷設定アプリ起動通知を送信することとしても良い。
【００７１】
以上、本発明の具体的な構成は、上記以外にも発明の要旨を逸脱しない範囲で変更可能である。
【００７２】
例えば、図８に示すように、端末装置１０に、所定フォーマット（ＰＤＦなど）のファイルに印刷設定情報を付加した印刷ジョブを画像形成装置２０に送信するダイレクトアプリケーション１４３をインストールし、ダイレクトアプリケーションの一機能を用いて印刷設定アプリケーションを実現する構成としても良い。
これにより、複数のアプリをインストールする手間を省くことができる。
【００７３】
また、印刷設定アプリケーションは、ユーザーからの入力を受け付けるウェブページを表示させるウェブブラウザであって、図９に示すように、画像形成装置２０が管理するウェブサーバー２０Ａが、印刷設定情報を入力するためのデータをウェブブラウザに提供する構成としても良い。
これにより、端末装置１０に表示されたウェブページを用いて、追加の印刷設定を行う構成とすることができる。
【符号の説明】
【００７４】
１  画像形成システム
１０  端末装置
１１  制御部（印刷ジョブ送信部、アプリ実行部、印刷設定情報送信部、待機通知送信部、キャンセル通知送信部）
１２  操作部
１３  表示部
１４  記憶部
１４１  印刷アプリ
１４２  印刷設定アプリ
１４３  ダイレクトアプリ
１５  通信部
２０  画像形成装置
２０Ａ  ウェブサーバー
２１  制御部（指定要求送信部、ジョブ実行部）
２２  操作部
２３  表示部
２４  画像形成部
２５  定着部
２６  給紙部
２７  排紙部
２８  ＦＡＸ部（ファックス送信部）
２９  用紙処理部
３０  通信部
３１  記憶部
Ｎ  通信ネットワーク
【図１】
2017165002.tif 000003
【図２】
2017165002.tif 000004
【図３】
2017165002.tif 000005
【図４】
2017165002.tif 000006
【図５】
2017165002.tif 000007
【図６】
2017165002.tif 000008
【図７】
2017165002.tif 000009
【図８】
2017165002.tif 000010
【図９】
2017165002.tif 000011